(57)【要約】【課題】入浴時において使い勝手が良く、安全性が高く、身体への負担が少ない浴室を提供することを目的とする。【解決手段】浴室（１）において、洗い場（２）と浴槽（３）との両方に接する浴室壁（４）と、を備え、浴槽の洗い場に面する側面を有する浴槽正面側壁（１０）は、上端部分となる長手方向に延びる頂面部（３１）の頂面中央部分が凹曲面形状を有し、頂面中央部分の高さが頂面中央部分の両側に位置する頂面両側部分に比べて低く形成された低位領域（Ｂ）と、洗い場に面する側面において側面中央部分が凹曲面形状を有し、浴槽正面側壁の側面中央部分の厚みが側面中央部分の外側となる側面外側部分に比べて薄く形成された正面凹曲面領域（Ｃ）と、を含む。【選択図】図１
2019170930.tif 000002
【特許請求の範囲】
【請求項１】
洗い場と、
前記洗い場に隣接する浴槽と、
前記洗い場と前記浴槽との両方に接する浴室壁と、を備える浴室であって、
前記浴槽の前記洗い場に面する側面を有する浴槽正面側壁は、上端部分となる長手方向に延びる頂面部の頂面中央部分が凹曲面形状を有し、前記頂面中央部分の高さが前記頂面中央部分の両側に位置する頂面両側部分に比べて低く形成された低位領域と、前記洗い場に面する側面において側面中央部分が凹曲面形状を有し、前記浴槽正面側壁の前記側面中央部分の厚みが前記側面中央部分の外側となる側面外側部分に比べて薄く形成された正面凹曲面領域と、を含む、浴室。
【請求項２】
前記浴槽正面側壁の前記頂面部において、前記頂面中央部分に形成された前記低位領域は、長手方向の中央が最も高さが低く、最も幅が狭い形状を有する、請求項１に記載の浴室。
【請求項３】
前記浴槽正面側壁の前記頂面部において、前記低位領域に対して長手方向における両側の前記頂面両側部分が幅広で平坦な座位領域を有する、請求項１または２に記載の浴室。
【請求項４】
前記浴槽正面側壁は、当該浴槽正面側壁において長手方向に直交する幅方向に延びる中心線に対して対称的な形状を有する、請求項１から３のいずれか一項に記載の浴室。
【請求項５】
前記浴槽正面側壁において、前記頂面中央部分に形成された前記低位領域と、前記側面中央部分に形成された前記正面凹曲面領域と、前記低位領域に対して長手方向における両側に形成された前記座位領域と、が曲面により連続するよう形成された、請求項３に記載された浴室。
【請求項６】
前記浴室壁に固定され、前記洗い場と前記浴槽とに渡って水平に延設された手摺りを備えた、請求項１から５のいずれか一項に記載の浴室。
【請求項７】
前記手摺りは、前記浴槽正面側壁の上方において浴室の中央部分に円弧形状に張り出した湾曲部を有する、請求項６に記載の浴室。
【発明の詳細な説明】
【技術分野】
【０００１】
本開示は、浴室に関し、特に使い勝手が良く、身体への負担を少なくする構造を有する浴室に関する。
【背景技術】
【０００２】
浴室においては、使い勝手が良く、身体への負担が少ない構造として各種構成の浴室および浴槽が提案されている（例えば、特許文献１、２参照。）。特許文献１には、浴槽の外周のフランジにおける洗い場側のフランジの幅を広く形成して入浴時に腰掛け可能とした浴槽が提案されている。また、特許文献２には、浴室への出入口と床面との間の段差が小さい場合、入浴者が満水の浴槽に入ることにより生じるあふれ出た湯を排水溝に案内する溝部および窪みを設けた浴室が提案されている。さらに、浴室内は滑りやすく、転倒する危険性を有しているため、特に高齢者などの入浴時においては危険性が高くなるため、入浴者の動作をサポートする目的で、浴室壁面には手摺りを設けて安全性が高められている。
【先行技術文献】
【特許文献】
【０００３】
【特許文献１】特開平７−３０２号公報
【特許文献２】特開平１１−１４８１５８号公報
【発明の概要】
【発明が解決しようとする課題】
【０００４】
入浴は、身体を清潔に保つだけではなく、心身をリラックスさせることができる行為であり、入浴時において使い勝手が良く、安全性が高く、そして身体への負担が少ない浴室は望ましい浴室である。特に、高齢者が入浴する場合には、身体能力が衰えているため、身体の移動をサポートするための器具が必要であり、浴室内および浴槽内における入浴者の移動を安全で容易なものとすることは重要である。
【０００５】
入浴者の入浴時の動作においては、洗い場における動作の他に、浴槽の縁部分（側壁）を跨いで湯船に入る、または浴槽を跨いで洗い場に出るという、片足を大きく持ち上げて側壁を跨ぐという動作を伴っている。このように浴槽の側壁を跨ぐという動作は、滑りやすい浴室内において行う動作としては、容易な動作ではなく、特に高齢者などの足を持ち上げることが容易ではない人にとっては、転倒などの危険を伴うものである。
【０００６】
本開示は、入浴時において使い勝手が良く、安全性が高く、身体への負担が少ない浴室を提供するものであり、浴室内および浴槽内における動作を容易なものとし、特に浴槽の側壁を容易に跨ぐことができる構造を有する浴室を提供することを目的とする。
【課題を解決するための手段】
【０００７】
本開示における一態様の浴室は、
洗い場と、
前記洗い場に隣接する浴槽と、
前記洗い場と前記浴槽との両方に接する浴室壁と、を備える浴室であって、
前記浴槽の前記洗い場に面する浴槽正面側壁は、上端部分となる長手方向に延びる頂面部の頂面中央部分が凹曲面形状を有し、前記頂面中央部分の高さが前記頂面中央部分の両側に位置する頂面両側部分に比べて低く形成された低位領域と、前記洗い場に面する側面において側面中央部分が凹曲面形状を有し、前記浴槽正面側壁の前記側面中央部分の厚みが前記側面中央部分の外側となる側面外側部分に比べて薄く形成された正面凹曲面領域と、を含む。
【発明の効果】
【０００８】
本開示の浴室は、入浴時における使い勝手が良く、安全性の高い浴室を提供するものであり、浴室内および浴槽内における動作を容易なものとし、浴槽の側壁を容易に跨ぐことが可能な構成を有する。
【図面の簡単な説明】
【０００９】
【図１】本開示に係る実施の形態１の浴室の内部を示す図
【図２】実施の形態１の浴室における浴槽を示す斜視図
【図３】実施の形態１の浴室における浴槽の平面図
【図４】実施の形態１の浴室における浴槽の正面図
【図５】図４におけるＶ−Ｖ線により切断した断面図
【図６】実施の形態１の浴室における浴槽の浴槽正面側壁を入浴者が跨ぐ時の状態を模式的に記載した図
【図７】実施の形態１の浴室に設けた手摺りを示す平面図
【図８】実施の形態１の浴室に設けた手摺りを拡大して示した図
【図９】実施の形態１の浴室における手摺りを正面から見た図
【図１０】実施の形態１の浴室における手摺りを上方から見た図
【図１１】実施の形態１の浴室における洗い場と浴槽との配置関係を示す図
【図１２】実施の形態１の構成における手摺りの変形例を示す平面図
【発明を実施するための形態】
【００１０】
本開示に係る第１の態様の浴室は、
洗い場と、
前記洗い場に隣接する浴槽と、
前記洗い場と前記浴槽との両方に接する浴室壁と、を備える浴室であって、
前記浴槽の前記洗い場に面する側面を有する浴槽正面側壁は、上端部分となる長手方向に延びる頂面部の頂面中央部分が凹曲面形状を有し、前記頂面中央部分の高さが前記頂面中央部分の両側に位置する頂面両側部分に比べて低く形成された低位領域と、前記洗い場に面する側面において側面中央部分が凹曲面形状を有し、前記浴槽正面側壁の前記側面中央部分の厚みが前記側面中央部分の外側となる側面外側部分に比べて薄く形成された正面凹曲面領域と、を含む。
【００１１】
上記のように構成された第１の態様の浴室は、入浴時における使い勝手が良く、安全性が高く、浴室内および浴槽内における動作を容易なものとし、浴槽の側壁を容易に跨ぐことができる。
【００１２】
本開示に係る第２の態様の浴室は、前記の第１の態様における前記浴槽正面側壁の前記頂面部において、前記頂面中央部分に形成された前記低位領域が、長手方向の中央が最も高さが低く、最も幅が狭い形状を有してもよい。
【００１３】
本開示に係る第３の態様の浴室は、前記の第１または第２の態様における前記浴槽正面側壁の前記頂面部において、前記低位領域に対して長手方向における両側の前記頂面両側部分が幅広で平坦な座位領域を有してもよい。
【００１４】
本開示に係る第４の態様の浴室は、前記の第１から第３の態様のいずれかの態様における前記浴槽正面側壁が、当該浴槽正面側壁において長手方向に直交する幅方向に延びる中心線に対して対称的な形状を有してもよい。
【００１５】
本開示に係る第５の態様の浴室は、前記の第３の態様における前記浴槽正面側壁において、前記頂面中央部分に形成された前記低位領域と、前記側面中央部分に形成された前記正面凹曲面領域と、前記低位領域に対して長手方向における両側に形成された前記座位領域と、が曲面により連続するよう形成されてもよい。
【００１６】
本開示に係る第６の態様の浴室は、前記の第１から第５の態様のいずれかの態様において、前記浴室壁に固定され、前記洗い場と前記浴槽とに渡って水平に延設された手摺りを備えてもよい。
【００１７】
本開示に係る第７の態様の浴室は、前記の第６の態様における前記手摺りが、前記浴槽正面側壁の上方において浴室の中央部分に円弧形状に張り出した湾曲部を有してもよい。
【００１８】
以下、本開示に係る浴室の一実施の形態について、適宜図面を参照しながら詳細に説明する。実施の形態の説明においては、例えば、既に良く知られた事項の説明や実質的に同一の構成に対する重複説明を省略する場合がある。これは、以下の説明が不必要に冗長になるのを避け、当業者の理解を容易にするためである。
【００１９】
なお、発明者は、当業者が本開示を十分に理解するために添付図面および以下の説明を提供するものであって、これらによって特許請求の範囲に記載の主題を限定することを意図するものではない。
【００２０】
以下の実施の形態においては、浴室の具体的な構成について説明するが、この構成は例示であり、本開示は、以下の実施の形態において説明する構成に限定されるものではなく、本開示の技術的特徴を有する浴室を含むものである。また、本開示には、以下に述べる実施の形態において説明する任意の構成を適宜組み合わせることを含むものであり、組み合わされた構成においてはそれぞれの効果を奏するものである。
【００２１】
（実施の形態１）
以下、本開示に係る実施の形態１の浴室について添付の図面を参照しつつ説明する。図１は、実施の形態１の浴室の内部を示す図である。
【００２２】
図１に示すように、実施の形態１の浴室１には洗い場２と浴槽３が隣接して配設されている。また、浴室１には、少なくとも、洗い場２と浴槽３との両方に接する浴室壁４が設けられている。実施の形態１の浴室１においては、洗い場２と浴槽３との両方に接する浴室壁４には手摺り５が設けられており、手摺り５は浴室壁４と平行に水平方向に延設されている。
【００２３】
なお、実施の形態１の浴室１においては、洗い場２と浴槽３との両方に接する浴室壁４にカウンター６、水栓７、シャワー８、鏡９などの一般的な入浴関連器具が設けられた構成例で説明するが、こは例示であり、これらの浴室１における器具は他の浴室壁などに設けてもよい。
【００２４】
次に、実施の形態１の浴室１における、洗い場２、浴槽３、洗い場２と浴槽３との両方に接する浴室壁４、および手摺り５の構成、およびこれらの配置関係について説明する。
【００２５】
［浴槽３］
先ず、実施の形態１の浴室１に設けられた浴槽３について説明する。図２は、浴槽３を示す斜視図である。図２においては、便宜上、互いに直交するＸ軸、Ｙ軸、Ｚ軸を示しており、実施の形態１における浴槽３の長手方向（Ｘ方向）、幅方向（Ｙ方向）、高さ方向（Ｚ方向）をＸ軸、Ｙ軸、Ｚ軸を用いて説明する。図３は浴槽３の平面図であり、図４は浴槽３の正面図である。図５は図４のＶ−Ｖ線により切断した断面図である。図４の正面図は、浴槽３における洗い場２に面する側面を示している。以下、浴槽３における洗い場２に面する側面を有する側壁を浴槽正面側壁１０と称する。なお、実施の形態１の浴室１においては、浴槽３の洗い場側（正面側）の側壁（浴槽正面側壁１０）以外の３方の側壁は浴室１の浴室壁により覆われた構成である。
【００２６】
図２に示すように、実施の形態１における浴槽３において、お湯を貯留する貯湯部３ａの内面形状は、洗い場側が膨らんだ凸曲面を有する略直方体形状を有している。浴槽３の上端全周の周縁部分は外側に拡がるように曲面で構成されたフランジ３ｂが形成されている。浴槽３は、貯湯部３ａおよびフランジ３ｂを有する浴槽本体１１と、浴槽本体１１における洗い場側（正面側）の外面形状を構成するエプロン１２とを備えている。
【００２７】
浴槽３における上端全周のフランジ３ｂにおいて、洗い場側となる正面フランジ３０は、上端部分となる長手方向に延びる頂面部３１と、その頂面部３１から洗い場側に垂れ下がる垂下部３２とを含んでいる。頂面部３１と垂下部３２とは、連続面の曲面で形成されている。また、垂下部３２に連続してエプロン１２が設けられている。浴槽３の浴槽正面側壁１０における洗い場２に面する側面は、垂下部３２とエプロン１２とにより構成されている。なお、実施の形態１においては、浴槽３の洗い場２に面する側面を垂下部３２とエプロン１２とにより構成した例で説明するが、浴槽３の洗い場２に面する側面はエプロン１２のみで構成してもよい。
【００２８】
図３の平面図においては、下側が正面側であり、洗い場側となる。図３に示すように、浴槽３における貯湯部３ａの上端の開口形状が、平面視で洗い場側が凸状に膨らんだ英文字の略Ｄ字形状である。また、浴槽３における洗い場側の正面フランジ３０において、長手方向に延びる頂面部３１の頂面中央部分における中央が最も狭く、両側の端に向かって、即ち長手方向Ｘに延びる頂面部３１の両側に向かって徐々に広くなる形状を有している。頂面部３１における両側となる頂面両側部分は、座位領域Ａとして幅広の平坦面に形成されている。実施の形態１の構成において、座位領域Ａとしては、少なくとも長手方向Ｘにおける端から中央側に、少なくとも２００ｍｍ以上の長さを有する領域であり、少なくとも入浴者が腰掛けることが可能な平坦面で構成されている。
【００２９】
図４の正面図に示すように、頂面部３１における頂面中央部分が凹曲面形状を有しており、頂面部３１の頂面中央部分の高さが頂面中央部分の両側に位置する頂面両側部分に比べて低く形成されている。この頂面中央部分が低位領域Ｂとなり、低位領域Ｂの高さが頂面中央部分の両側に位置する頂面両側部分に比べて低く形成されている。即ち、頂面部３１においては、その中央から長手方向Ｘの両側に向かって徐々に高さが高くなる凹曲面形状である。このため、低位領域Ｂにおいては、その中央が最も高さが低くなっている。頂面部３１における頂面両側部分となる座位領域Ａは、略水平で幅広な平坦面で構成されている。
【００３０】
図２〜図４、および図４におけるＶ−Ｖ線により切断した図５に示すように、浴槽３の洗い場側（正面側）を構成する垂下部３２とエプロン１２の側面中央部分には、正面凹曲面（３ｃ、１２ａ）が形成されている。垂下部３２とエプロン１２に形成される正面凹曲面（３ｃ、１２ａ）の領域（正面凹曲面領域Ｃ）は、浴槽３の洗い場側（正面側）の側面において、正面フランジ３０の頂面部３１の低位領域Ｂからアーク形状が垂れ下がる円弧形状を有している。従って、正面凹曲面領域Ｃは、洗い場２に面する側面において側面中央部分が凹曲面形状を有しており、浴槽正面側壁１０の側面中央部分の厚みが側面中央部分の外側となる側面外側部分に比べて薄く形成されている。
【００３１】
上記のように浴槽３における正面側の縁部分である浴槽正面側壁１０において、浴槽正面側壁１０の洗い場側の側面に正面凹曲面領域Ｃ（３ｃ、１２ａ）が形成されているため、正面凹曲面領域Ｃの上端部分の厚みは薄く、下方に行くに従って厚みが厚くなる形状を有している。即ち、正面凹曲面領域Ｃの上端側は、浴槽３の内側となる貯湯部３ａ側に近く、下方に行くに従って徐々に貯湯部３ａから離れる構成である（図５の断面図参照）。但し、浴槽３の洗い場側（正面側）の側面を構成する垂下部３２とエプロン１２においては、正面フランジ３０の頂面部３１における頂面両側部分の座位領域Ａから垂れ下がる側面より洗い場側に突出することはない。
【００３２】
図５の断面図に示すように、フランジ３ｂにおける洗い場側の正面フランジ３０の頂面部３１の頂面中央部分にある低位領域Ｂは、幅狭く形成されており、長手方向における中央が最も高さが低く、最も幅が狭い形状を有している。低位領域Ｂにおいては、長手方向Ｘに直交する断面が曲面形状となっている。また、頂面部３１の低位領域Ｂに対して内側と外側となる、貯湯部３ａを形成する内面と、洗い場側の垂下部３２の外面とは、連続する曲面で形成されており、入浴者が手で持ちやすい幅狭の形状を有している。例えば、正面フランジ３０において、手で持つことが可能な握持領域の頂部の幅が約６０ｍｍ以下となるように形成されている。
【００３３】
前述のように、浴槽３の洗い場側の側面を構成する垂下部３２とエプロン１２の側面中央部分に正面凹曲面領域Ｃ（３ｃ、１２ａ）が形成されている。この正面凹曲面領域Ｃは、垂下部３２の正面凹曲面３ｃと、エプロン１２の正面凹曲面１２ａとを含む。垂下部３２の正面凹曲面３ｃとエプロン１２の正面凹曲面１２ａとで構成される円弧形状の正面凹曲面領域Ｃは、正面フランジ３０の頂面部３１の頂面中央部分に形成された低位領域Ｂから垂れ下がる形状を有している。
【００３４】
実施の形態１の浴室１における浴槽３は、全体的に滑らかな曲面で形成されており、浴槽正面側壁１０における座位領域Ａ、低位領域Ｂおよび正面凹曲面領域Ｃは、それぞれの領域の境界が連続するよう曲面で構成されている。
【００３５】
上記のように、実施の形態１の浴室１における浴槽３は、洗い場側の正面フランジ３０の頂面部３１の頂面中央部分には他の部位より高さが低い低位領域Ｂが形成されている。また、浴槽３の洗い場側の側面を構成する垂下部３２およびエプロン１２においては、その側面中央部分に凹曲面で構成された正面凹曲面領域Ｃが形成されている。このため、浴槽３における洗い場側の外面と、貯湯部３ａを形成する内面とで構成される浴槽３の浴槽正面側壁１０は、頂面中央部分が高さが低く形成されており、厚みが薄く形成されている。
【００３６】
図６は、浴槽３の洗い場側の側壁である浴槽正面側壁１０を入浴者が跨ぐ時の状態を模式的に記載した図である。図６において、（ａ）は入浴者が浴槽正面側壁１０を乗り越えて洗い場２から湯船である貯湯部３ａに入る時を示しており、（ｂ）は入浴者が浴槽正面側壁１０を乗り越えて貯湯部３ａから洗い場２に出る時を示している。
【００３７】
図６に示すように、浴槽３の浴槽正面側壁１０において、正面フランジ３０の中央の高さＨ１は長手方向Ｘの両側の高さＨ０に比べて低く形成されており、例えば、最大高さ差（Ｈ０−Ｈ１）を５０ｍｍ以上となるように形成されている。浴槽正面側壁１０における中央の高さＨ１および両側部分の高さＨ０は、洗い場２の床面からの高さを示している。入浴者が浴槽３に入るとき、または浴槽３から出るとき、浴槽正面側壁１０を跨ぐため、入浴者は洗い場２の床面と浴槽３の底面との両方に足を置くことになる。このため、入浴者が浴槽正面側壁１０を跨ぐときには、浴槽正面側壁１０における頂面中央部分（低位領域Ｂ）の高さＨ１と共に、浴槽正面側壁１０浴槽３の底面から低位領域Ｂまでの高さＨ２、および浴槽正面側壁１０の側面中央部分（正面凹曲面領域Ｃ）における厚み、特に頂面部３１における低位領域Ｂの厚みＨ３が重要な要素となる。
【００３８】
上記のように、浴槽３の浴槽正面側壁１０においては、頂面中央部分に低位領域Ｂが形成されて、高さ方向Ｚ（鉛直方向）に凹んだ形状を有しており、且つ側面中央部分に正面凹曲面領域Ｃが形成されて、厚み方向（幅方向Ｙ）に凹んだ形状を有している。浴槽正面側壁１０の洗い場側の側面においては、低位領域Ｂの下方に正面凹曲面領域Ｃが形成されており、正面凹曲面領域Ｃが低位領域Ｂから下側に略円弧形状に拡がるよう形成されている。従って、入浴者が浴槽３における洗い場側の側面に形成された正面凹曲面領域Ｃを確認しつつ、その上側に形成された高さが低い低位領域Ｂを確実に認識して跨ぐことができる。この結果、実施の形態１における浴槽３を用いることにより、入浴者が浴槽３の側壁に足を引っ掛けて、転倒するような事故を低減することが可能となる。
【００３９】
前述のように、実施の形態１の浴室１における浴槽３においては、浴槽正面側壁１０の頂面部３１の頂面中央部分に凹曲面で構成された低位領域Ｂが形成されている。また、浴槽正面側壁１０の頂面部３１における長手方向Ｘの両側部分である頂面両側部分には、幅広で平坦面で構成された座位領域Ａが形成されている。このように、浴槽正面側壁１０の頂面部３１には頂面中央部分に他の領域より高さが低い低位領域Ｂが形成されており、頂面両側部分には幅広で平坦な座位領域Ａが形成されている。このため、入浴者は浴槽正面側壁１０が跨ぐときの足上げ動作が少なくてすみ、特に高齢者にとっては足上げ動作が少なくてすむことは入浴時の身体への負担を軽減することができる。また、浴槽３における頂面両側部分には座位領域Ａが形成されているため、入浴者が座位領域Ａに腰掛けて浴槽３に容易に出入りすることが可能となる。
【００４０】
更に、実施の形態１の浴室１における浴槽３においては、浴槽正面側壁１０の洗い場側（正面側）には正面凹曲面領域Ｃが形成されており、浴槽正面側壁１０の側面中央部分の厚みが薄く形成されている。正面フランジ３０の頂面部３１における頂面中央部分の低位領域Ｂの幅は、特に狭く形成されている。即ち、入浴者が跨ぐ浴槽正面側壁１０の側面中央部分が薄く形成されていると共に、その浴槽正面側壁１０の頂面中央部分の低位領域Ｂがより低く、より狭く形成されている。このため、入浴者は浴槽正面側壁１０を跨ぐときの歩幅が小さくてよく、また、浴槽正面側壁１０の頂上部分を入浴者が持って容易に跨ぐことが可能となる。特に、高齢者にとっては足を大きく上げて大きく開くことは入浴時の身体への負担を増大させるものであるため、実施の形態１の浴室１においては、使い勝手が良く、安全性が高く、身体への負担が少ない構成となる。
【００４１】
［手摺り５］
図７は、実施の形態１の浴室１に設けた手摺り５を示す平面図である。図７は浴室１を上方から見た図であり、手摺り５が洗い場２と浴槽３との両方に接する浴室壁４に設けられている。手摺り５は、浴室壁４と平行で水平方向に延設されている。手摺り５は、浴室壁４に固定されており、浴室壁４の壁面から所定距離を有して設けられており、例えば、入浴者が手で持って自身を支えることができるように、浴室壁４の壁面から５０〜１５０ｍｍの距離を有して浴室壁４に固定されている。手摺り５は、浴室壁４に固定された複数の支持部５ａにより確実に支持されている。
【００４２】
また、実施の形態１の浴室１においては、浴槽３の幅方向Ｙに延びる一方の側壁が浴室壁４と接しており、その浴室壁４に手摺り５が設けられている。手摺り５は、洗い場２と浴槽３における移動のための補助器具として設けられている。従って、手摺り５は、洗い場２と浴槽３との両方において使用できるように、洗い場２と浴槽３とに渡って設けられている。手摺り５の厚みとしては、少なくとも手で持って、自身を支えることが可能な厚みであればよく、例えば、手で持つ部分の厚みが約６０ｍｍ以下に形成されている。
【００４３】
図８は、実施の形態１の浴室１に設けられた手摺り５を拡大して示した図である。図８は、入浴者が手摺り５を持っているときの状態を示している。図８に示すように、手摺り５には、上端部分が握りやすく滑りにく形状を有しており、背面側（浴槽壁４側）に突出する突出部５ｂが形成されている。また、手摺り５の正面側には凹み５ｃが形成されており、入浴者が握った時に凹み５ｃに親指が収まるよう構成されている。
【００４４】
なお、実施の形態１の浴室１においては、手摺り５の他に握りバーおよび浴槽ハンドルなどの補助器具などを適宜設けて、更に使い勝手が良く、安全性の高い構成としてもよい。
【００４５】
図９および図１０は、実施の形態１の浴室１において、入浴者が手摺り５を持って洗い場２から浴槽３へ入るため、浴槽３の浴槽正面側壁１０を跨いでいるときの状態を示している。図９は、実施の形態１の浴室１における手摺り５を正面から見た図である。図１０は、浴室１における手摺り５を上方から見た図である。図９および図１０に示すように、実施の形態１の浴室１においては、正面フランジ３０の頂面部３１の頂面中央部分が凹曲面に形成されており、頂面中央部分の高さが頂面両側部分および他のフランジ３ｂに比べて低くなっている。このため、入浴者が浴槽３の浴槽正面側壁１０を跨ぐとき、入浴者の足が浴槽正面側壁１０の上端部分に引っ掛けることなく、容易に跨ぐことが可能となる。
【００４６】
また、浴槽３における浴槽正面側壁１０の洗い場側の面には正面凹曲面領域Ｃ（３ｃ、１２ａ）が形成されており、正面凹曲面領域Ｃにおける厚みが薄くなっているため、入浴者は浴槽正面側壁１０を跨ぎやすい構造となっている。なお、実施の形態１における浴槽３の底面には、入浴者が滑らないように滑り止め用の微少な凹凸面（図示省略）が形成されており、安全性を更に高める構造を有している。
【００４７】
図１１は、浴室１における洗い場２と浴槽３との配置関係を示す図である。実施の形態１における浴槽３は、浴槽正面側壁１０の中心を通る幅方向Ｙに延びる中心線Ｐに対して、即ち浴槽正面側壁１０において長手方向Ｙに直交する幅方向Ｙに延びる中心線Ｐに対して対称的な形状を有している。このため、浴室１における洗い場２と浴槽３との配置関係において設計の自由度が拡がる構成となる。即ち、浴室１において洗い場２を浴槽３の正面側に対して左右のいずれの位置にも配置することが可能となる。図１１の（ａ）および（ｂ）に示したそれぞれの浴室１においては、浴槽３に対する洗い場２および手摺り５の位置関係が逆となっている。しかしながら、洗い場２と浴槽３が図１１の（ａ）および（ｂ）に示す配置関係であっても、浴槽３としては同じ構造のものを用いることができる。このように実施の形態１における浴槽３は対称的な形状を有しているため、異なる配置構成の浴室に対しても同じ構成の浴槽３を用いることができる。
【００４８】
なお、実施の形態１の構成においては、洗い場２から浴槽３への移動、または浴槽３から洗い場２への移動を容易なものとするために手摺り５を設けた構成であるため、少なくとも洗い場２と浴槽３との間に手摺り５が設けられていればよい。図１２は、実施の形態１の構成における手摺り５の変形例を示す平面図である。図１２の（ａ）に示す手摺り５１は、洗い場２と浴槽３との間の移動を補助するために設けられており、洗い場２において入浴者が立ち上がる位置、即ち洗い場２の略中央部分から、浴槽３の幅方向Ｙの略中間位置まで延設されている。また、図１２の（ｂ）に示す手摺り５２は、入浴者が洗い場２と浴槽３との間を移動するとき、入浴者が浴槽正面側壁１０の長手方向Ｘの頂面中央部分を容易に跨ぐことができるように、湾曲部５２ａが形成されている。湾曲部５２ａは、浴室１の中央部分に円弧形状に張り出した形状を有しており、洗い場２から浴槽３に渡って設けられている。このため、入浴者が湾曲部５２ａを持って、浴槽３の浴槽正面側壁１０の低位領域Ｂを容易に跨ぐように設けられている。
【００４９】
また、実施の形態１の浴室１においては、浴室壁４と手摺り５との間のスペースにトレイなどを設けて収納棚として用いることが可能である。
【００５０】
上記のように、本開示の浴室（１）においては、実施の形態において説明したように、浴槽（３）の浴槽正面側壁（１０）における頂面部（３１）の中央部分に凹曲面形状の低位領域（Ｂ）が形成され、頂面部（３１）の両側部分に平坦な座位領域（Ａ）が形成されており、且つ浴槽正面側壁（１０）の洗い場側の側面中央部分には正面凹曲面領域（Ｃ）が形成されている。また、本開示の浴室においては、洗い場（２）と浴槽（３）とが接する浴槽壁（４）には洗い場（２）と浴槽（３）とを跨ぐように手摺り（５）が設けられている。このため、本開示の浴室は、入浴者が浴槽の側壁を跨ぐことが容易なものとなり、使い勝手が良く、安全性が高く、身体への負担が少ない浴室であり、浴室内および浴槽内における動作を容易なものとし、浴槽を容易に跨げる構成となっている。
【符号の説明】
【００５１】
１  浴室
２  洗い場
３  浴槽
３ａ  貯湯部
３ｂ  フランジ
３ｃ  正面凹曲面
４  浴室壁
５  手摺り
６  カウンター
７  水栓
８  シャワー
９  鏡
１０  浴槽正面側壁
１１  浴槽本体
１２  エプロン
１２ａ  正面凹曲面
３０  正面フランジ
３１  頂面部
３２  垂下部
Ａ  座位領域
Ｂ  低位領域
Ｃ  正面凹曲面領域
【図１】
2019170930.tif 000003
【図２】
2019170930.tif 000004
【図３】
2019170930.tif 000005
【図４】
2019170930.tif 000006
【図５】
2019170930.tif 000007
【図６】
2019170930.tif 000008
【図７】
2019170930.tif 000009
【図８】
2019170930.tif 000010
【図９】
2019170930.tif 000011
【図１０】
2019170930.tif 000012
【図１１】
2019170930.tif 000013
【図１２】
2019170930.tif 000014